(57)【要約】【課題】  調理物を美味しく焼くことができると共に、焼き物器具内に積層した灰等を調理物の油や水等で汚すことが少ない焼き物器具を提供する。【解決手段】  本発明は、側部に複数の開口部９，９…が形成された上方開放の燃料装填容器７を備えた燃料装填体３が上方開放の外側容器２内に載置されて成る焼き物器具１であって、該燃料装填容器７内に固形燃料１１を装填して、該固形燃料１１を燃焼させ、該燃料装填容器７の側面から所定間隔離間させて調理物１３，１３…を係止体１２，１２…によって係止し、該調理物１３，１３…を前記固形燃料１１の燃焼熱で焼くように構成されている焼き物器具を提供する。【選択図】  図１
2005253620.tif 000002
【特許請求の範囲】
【請求項１】
側部に複数の開口部が形成された上方開放の燃料装填容器を備えた燃料装填体が上方開放の外側容器内に載置されて成る焼き物器具であって、該燃料装填容器内に固形燃料を装填して、該固形燃料を燃焼させ、該燃料装填容器の側面から所定間隔離間させて調理物を係止体によって係止し、該調理物を前記固形燃料の燃焼熱で焼くように構成されていることを特徴とする焼き物器具。
【請求項２】
上記燃料装填体には上記燃料装填容器の底部から垂設されて脚部が形成されていることを特徴とする請求項１記載の焼き物器具。
【請求項３】
上記燃料装填容器の側部はパンチングメタルで形成されていることを特徴とする請求項１又は２記載の焼き物器具。
【請求項４】
上記外側容器の底面上に不燃物が所定高さ積層されることを特徴とする請求項１，２又は３記載の焼き物器具。
【請求項５】
上記不燃物は灰であることを特徴とする請求項４記載の焼き物器具。
【請求項６】
上記係止体は串状体に形成され、該係止体の先端部で調理物を串刺しにした後、該係止体の基端部を上記不燃物内に突き刺して該係止体を起立姿勢に保持させるように構成されていることを特徴とする請求項４又は６記載の焼き物器具。
【請求項７】
上記燃料装填体の上部に側方に延びるブラケットが設けられ、該ブラケットに上記係止体が垂設されていることを特徴とする請求項１，２，３，４又は５記載の焼き物器具。
【請求項８】
上記ブラケットには長手方向に延びる長穴が形成され、上記係止体は該長穴内に貫通されて摺動自在、且つ、回転自在に設けられることを特徴とする請求項７記載の焼き物器具。
【請求項９】
上記燃料装填容器の側面から所定間隔離間する位置に上記係止体を回転自在に保持する保持手段を設けると共に、該係止体を回転させる回転手段を設けたことを特徴とする請求項１，２，３，４又は５記載の焼き物器具。
【請求項１０】
上記回転手段は、上記保持手段に設けられるギア体に掛け回されるチェーンと、該チェーンを回転させるモータとを備えていることを特徴とする請求項９記載の焼き物器具。
【発明の詳細な説明】
【技術分野】
【０００１】
本発明は、焼き物器具に関するものであり、特に、バーベキューコンロ等として用いられる焼き物器具であって、調理物を美味しく焼くことができる焼き物器具に関するものである。
【背景技術】
【０００２】
近年、屋外でバーベキューが盛んに行われており、該バーベキューを行う焼き物器具も種々知られているが、該焼き物器具として、例えば、内部に炭や薪などの燃料を装填するコンロ本体を備え、該コンロ本体の上方開口部に金属網や金属板等の焼き具を配設して焼き調理が行えるように構成したバーベキューコンロが良く知られている（例えば、特許文献１参照）。
【特許文献１】特開２００３−１６４３８１号公報
【発明の開示】
【発明が解決しようとする課題】
【０００３】
然しながら、前記バーベキューコンロはコンロ本体の上方開口部に金属網や金属板などの焼き具を配設する構成であるため、調理物の内部まで良く焼けなかったり、調理物が燃えてしまう虞があり、又、調理物を焼くことにより調理物から発生する油や水が下方の炭や薪に落下して、燃焼状態の悪い炎を発生させ調理物が美味しく焼けない問題があり、又、該油や水がコンロ本体に積層した灰等を汚す虞があった。
【０００４】
以上の現状に鑑み、本発明の目的は、調理物を美味しく焼くことができると共に、焼き物器具内に積層させた灰等を調理物の油や水等で汚すことが少ない焼き物器具を提供する。
【課題を解決するための手段】
【０００５】
上記の課題を解決すべく、本発明は以下の構成を提供する。
請求項１に係る発明は、側部に複数の開口部が形成された上方開放の燃料装填容器を備えた燃料装填体が上方開放の外側容器内に載置されて成る焼き物器具であって、該燃料装填容器内に固形燃料を装填して、該固形燃料を燃焼させ、該燃料装填容器の側面から所定間隔離間させて調理物を係止体によって係止し、該調理物を前記固形燃料の燃焼熱で焼くように構成されていることを特徴とする焼き物器具を提供するものである。
【０００６】
請求項２に係る発明は、上記燃料装填体には上記燃料装填容器の底部から垂設されて脚部が形成されていることを特徴とする請求項１記載の焼き物器具を提供するものである。
【０００７】
請求項３に係る発明は、上記燃料装填容器の側部はパンチングメタルで形成されていることを特徴とする請求項１又は２記載の焼き物器具を提供するものである。
請求項４に係る発明は、上記外側容器の底面上に不燃物が所定高さ積層されることを特徴とする請求項１，２又は３記載の焼き物器具を提供するものである。
【０００８】
請求項５に係る発明は、上記不燃物は灰であることを特徴とする請求項１，２，３又は４記載の焼き物器具を提供するものである。
請求項６に係る発明は、上記係止体は串状体に形成され、該係止体の先端部で調理物を串刺しにした後、該係止体の基端部を上記不燃物内に突き刺して該係止体を起立姿勢に保持させるように構成されていることを特徴とする請求項４又は６記載の焼き物器具を提供するものである。
【０００９】
請求項７に係る発明は、上記燃料装填体の上部に側方に延びるブラケットが設けられ、該ブラケットに上記係止体が垂設されていることを特徴とする請求項１，２，３，４又は５記載の焼き物器具を提供するものである。
【００１０】
請求項８に係る発明は、上記ブラケットには長手方向に延びる長穴が形成され、上記係止体は該長穴内に貫通されて摺動自在、且つ、回転自在に設けられることを特徴とする請求項７記載の焼き物器具を提供するものである。
【００１１】
請求項９に係る発明は、上記燃料装填容器の側面から所定間隔離間する位置に上記係止体を回転自在に保持する保持手段を設けると共に、該係止体を回転させる回転手段を設けたことを特徴とする請求項１，２，３，４又は５記載の焼き物器具を提供するものである。
【００１２】
請求項１０に係る発明は、上記回転手段は、上記保持手段に設けられるギア体に掛け回されるチェーンと、該チェーンを回転させるモータとを備えていることを特徴とする請求項９記載の焼き物器具を提供するものである。
【発明の効果】
【００１３】
本発明の請求項１に係る発明によれば、側部に複数の開口部が形成された上方開放の燃料装填容器を備えた燃料装填体が上方開放の外側容器内に載置されて成る焼き物器具であって、該燃料装填容器内に固形燃料を装填して、該固形燃料を燃焼させ、該燃料装填容器の側面から所定間隔離間させて調理物を係止体によって係止し、該調理物を前記固形燃料の燃焼熱で焼くように構成されている焼き物器具であるので、従来例の如く、調理物の内部まで良く焼けなかったり、調理物が燃えてしまう虞がなく、又、焼くことにより調理物から発生する油や水が固形燃料に落下することがないため、燃焼状態の悪い炎を発生させることもなく、調理物を内部まで美味しく焼くことができると共に、該油や水が汚れないため周囲を汚すことが少なくなる。
【００１４】
請求項２に係る発明によれば、上記燃料装填体には上記燃料装填容器の底部から垂設されて脚部が形成されているので、請求項１記載の発明の効果に加え、該燃料装填容器を適正な所定の高さに保持することができる。
【００１５】
請求項３に係る発明によれば、上記燃料装填容器の側部はパンチングメタルで形成されているので請求項１又は２記載の発明の効果に加え、燃料装填体の製作コストを安価にすることができると共に、所定の開口が確保されて燃料の燃焼状態を良好にすることができる。
【００１６】
請求項４に係る発明によれば、上記外側容器の底面上に不燃物が所定高さ積層されるので、請求項１，２又は３記載の発明の効果に加え、該不燃物によって保温が可能になると共に、調理物を係止する係止体を該不燃物に保持させることができ、且つ、該不燃物によって容器の汚染を防止することができる。
【００１７】
請求項５に係る発明によれば、上記不燃物は灰であるので、請求項４記載の発明の効果に加え、該灰によって、保温効果を高めることができると共に、係止体の基端部を突き刺すだけで該係止体を容易に保持することができ、且つ、該灰が汚れた場合の取替えも容易である。
【００１８】
請求項６に係わる発明によれば、上記係止体は串状体に形成され、該係止体の先端部で調理物を串刺しにした後、該係止体の基端部を上記不燃物内に突き刺して該係止体を起立姿勢に保持させるように構成されているので、請求項４又は６記載の発明の効果に加え、係止体が容易に入手可能であると共に、安価であり、且つ、調理作業も容易となる。
【００１９】
請求項７記載の発明によれば、上記燃料装填体の上部に側方に延びるブラケットが設けられ、該ブラケットに上記係止体が垂設されているので、請求項１，２，３，４又は５記載の発明の効果に加え、調理物を所定位置に保持することができる。
【００２０】
請求項８記載の発明によれば、上記ブラケットには長手方向に延びる長穴が形成され、上記係止体は該長穴内に貫通されて摺動自在、且つ、回転自在に設けられるので、請求項７記載の発明の効果に加え、調理物の位置を調節して調理物の焼き加減を調節できると共に、調理物を回転させることにより、調理物を全側面から焼いたり、側面の所定部位から焼いたりすることが容易になる。
【００２１】
請求項９記載の発明によれば、上記燃料装填容器の側面から所定間隔離間する位置に上記係止体を回転自在に保持する保持手段を設けると共に、該係止体を回転させる回転手段を設けたので請求項１，２，３，４又は５記載の発明の効果に加え、調理物を所定位置に保持し回転させて焼くことができる。
【００２２】
請求項１０記載の発明によれば、上記回転手段は、上記保持手段に設けられるギア体に掛け回されるチェーンと、該チェーンを回転させるモータとを備えているので請求項９記載の発明の効果に加え、調理物を自動的に回転させて均等に焼くことができる。
【発明を実施するための最良の形態】
【００２３】
以下、実施例を示した図面を参照しつつ本発明の実施の形態を説明する。
図１に於いて、１は本発明の焼き物器具を示し、該焼き物器具１は、上方開放の金属製の外側容器２内に燃料を装填するための金属製の燃料装填体３を載置して成るものであり、該燃料装填体３は図２に示す如く環状に形成された下部環状体４の上面から４本の支柱５，５…を立設させ、該支柱５，５…の上部に環状に形成された上部環状体６を固設し、該支柱５，５…の上部内方に燃料を装填するための上方開放の燃料装填容器７を設けたものであり、該支柱５，５…は該燃料充填容器７底部から下方向に延設し、該支柱５の下部及び下部環状体４は該燃料装填容器７の脚部８を構成している。
【００２４】
そして、該燃料装填容器７は該燃料装填容器７の側部及び底部を複数の開口部９，９…が形成されたパンチングメタルで形成されている。尚、該パンチングメタルに代えて、網状体を用いても良く、然る時も、同様の効果が期待できる。又、該燃料装填容器７の底部は鉄板で形成しても良い。
【００２５】
而して、前記外側容器２の底部上面に不燃物である灰１０を所定厚さ積層し、前記燃料装填容器８内に炭又は薪等の固定燃料１１を装填して該固定燃料１１を燃焼させ、該固定燃料１１が所定の燃焼状態になった時、魚、イカ、肉、野菜等の調理物１３を串刺しにした串状の係止体１２を、該調理物１３が該燃料装填容器７の側面から所定間隔離間して位置するように前記灰１０に突き刺すと、該調理物１３は前記固定燃料１１の輻射熱等の燃焼熱によって焼き上げられる。
【００２６】
この時、該調理物１３は前記固定燃料１１の炎や、熱風を直接受けないため、該調理物１３が燃えたり、過度に焼かれることがなく、前記固定燃料１１の輻射熱等の燃焼熱によって美味しく焼き上げられる。
【００２７】
そして、該調理物１３は調理時に前記固定燃料１１上に位置しないため、該調理物１３から発生する油や水は該固定燃料１１上に落下することがなく、従来例の燃焼状態の悪い炎を発生させることがなく、調理物が美味しく焼き上がる。
【００２８】
又、前記調理物１３から発生する油や水は燃焼状態の悪い炎に触れないため汚れにくく、該油や水によって前記灰１０を汚すことが少なくなる。更に、前記灰１０は取替えが容易であると共に、保温効果も備えている。尚、前記灰１０に代えて、砂等の不燃物を用いることも可能であり、然る時も略同様な効果を得ることができる。
【００２９】
図３は前記焼き物器具１の別の使用方法を示し、調理物（図示せず）を入れた鍋１４を前記燃料装填体３の上部に載置して該調理物を調理するものであり、これによって、煮物、揚げ物、炒め物、炊飯等の調理が可能である。
【００３０】
図４は他の実施形態である焼き物器具２１を示し、該焼き物器具２１は前記焼き物器具（図１に於いて１）の燃料装填体３の上部に側方に延びる複数のブラケット２２，２２…を設けたものであり、図５に示す如く、該ブラケット２２には長手方向に延びる長穴２３が形成されており、該長穴２３に調理物１３を係止する係止体２４が貫通して設けられ、該係止体２４は調理物１３を係止すべく先端部が鉤状に形成された二股状の係止部２５と、該係止部２５の基端部に固着され、且つ、前記長穴２３を貫通する貫通部２６と、該貫通部２６の上部に形成され、且つ、前記長穴２３の短い穴幅よりも大径に形成された円板状の保持部２７と、該保持部２７上に形成されるハンドル部２８とから構成されている。
【００３１】
而して、前記係止部２５が下方になるように該係止体２４を前記長穴２３に貫通させて前記保持部２７を該長穴２３の上部に載置し、前記係止部２５に調理物１３を係止し、該係止体２４を該長穴２３に沿って摺動させて該調理物１３を位置決めし、且つ、該係止体２４のハンドル部２８を回して調理物１３を回転させることができる。
【００３２】
これにより、該調理物を適正位置に保持し、且つ、回転させて焼くことができるため、該調理物を前記焼き物器具（図１に於いて１）よりも更に美味しく焼き上げることができる。
【００３３】
図６及び図７は更に他の実施形態である焼き物器具３１を示し、該焼き物器具３１は前記焼き物器具（図１に於いて１）に於いて、調理物を先端部で串刺しにし、基端部を灰に突き刺して調理物を保持する串状の係止体（図１に於いて１２）に代えて、調理物を串刺しにする串状の係止体３２，３２…を回転自在に保持する複数の保持手段３３，３３…を設けると共に、該係止体３２，３２…を回転させる回転手段３４を設けたものである。
【００３４】
即ち、前記複数の保持手段３３，３３…は前記外側容器２の底面に前記燃料装填容器７の側面から所定間隔離間する円周方向に略等間隔に離間されて立設され、該保持手段３３は、前記外側容器２の底面に固着されて立設する保持体３５と、該保持体３５上端部に軸支されるギア体３６とから成り、該保持体３５の上端部には上方に開放する丸穴３５ａが開穿され、該丸穴３５ａ内に該ギア体３６に固着された回転軸３７の一端部が遊嵌され、該回転軸３７の他端部には前記係止体３２の基端部を挿通させて保持する保持穴３８が開穿されている。尚、該係止体３２の基端部は例えば四角形に形成し、該保持穴３８も四角形に形成すれば該係止体３２の回転が確実になる。
【００３５】
又、前記回転手段３４は、複数の前記ギア体３６，３６…に巻回して該ギア体３６，３６…を回転させるチェーン３９と、該チェーン３９を回転させるモータ４０とから成り、該モータ４０は前記外側容器２の底面から立設される保持体４１上端部に固着され、該モータ４０の回転軸４２の先端部にはギア体４３が固着され、該ギア体４３に前記チェーン３９が巻回し、該モータ４０の回転により該ギア体４３が回転し、該ギア体４３により該チェーン３９を回転させるように構成されている。
【００３６】
而して、前記外側容器２の底部上面に不燃物である灰１０を所定厚さ積層し、前記燃料装填容器７内に炭又は薪等の固定燃料１１を装填して該固定燃料１１を燃焼させ、該固定燃料１１が所定の燃焼状態になった時、魚、イカ、肉、野菜等の調理物を串刺しにした串状の係止体３２，３２…の基端部を前記ギア体３６の前記回転軸３７，３７…の保持穴３８，３８…に挿通して、前記モータ４０を回転させると、該モータ４０の回転により前記ギヤ体４３を介して前記チェーン３９を回転させ、該チェーン３９の回転により、前記ギア体３６，３６…が回転し、該ギア体３６，３６…の回転により、該ギア体３６，３６…の回転軸３７，３７…の保持穴３８，３８…に挿通された前記係止体３２，３２…が回転し、前記調理物も回転する。
【００３７】
これによって、調理物は自動的に回転されて固定燃料１１の輻射熱等の燃焼熱によって均等に焼き上げられる。
又、この時、該調理物から発生する油や水は前記固定燃料１１上に落下することがなく、燃焼状態の悪い炎を発生させることがないため調理物は美味しく焼きあがる。更に、前記調理物から発生する油や水は前記灰１０を汚すことも少ない。
【図面の簡単な説明】
【００３８】
【図１】本発明の一実施の形態を示し、焼き物器具の斜視図。
【図２】図１に示す燃料装填体の斜視図。
【図３】本発明の一実施の形態を示し、鍋を用いた調理に用いられる焼き物器具の斜視図。
【図４】（ａ）本発明の他の実施の形態を示し、焼き物器具の平面図。（ｂ）前図４（ａ）の正面断面図。
【図５】図４に示すブラケットと係止体の斜視図。
【図６】本発明の更に他の実施の形態を示し、焼き物器具の平面図。
【図７】図６に示す保持手段と回転手段の説明図。
【符号の説明】
【００３９】
１，２１，３１  焼き物器具
２  外側容器
３  燃料装填体
７  燃料装填容器
８  脚部
９  開口部
１０  灰
１１  固形燃料
１２，２４，３２  係止体
１３  調理物
２２  ブラケット
２３  長穴
３３  保持手段
３４  回転手段
３５  保持体
３６  ギヤ体
３９  チェーン
４０  モータ
【図１】
2005253620.tif 000003
【図２】
2005253620.tif 000004
【図３】
2005253620.tif 000005
【図４】
2005253620.tif 000006
【図５】
2005253620.tif 000007
【図６】
2005253620.tif 000008
【図７】
2005253620.tif 000009